(57)【要約】【課題】  恒久的連結構造であって、しかもレイアウトの変更や拡張する際には、簡単な作業により組替え可能な安定した構造のユニットデスクを提供する。【解決手段】  四隅部の下方に脚体４が突出して設けられた矩形の基準支持枠体３と二隅部の下方に拡張脚体１３が突出して設けられた矩形の拡張支持枠体１２と、を具備し、直線方向又は直角方向に配置された前記基準支持枠体３及び前記拡張支持枠体１２の上面に、これら枠体を連結するように、少なくとも二枚の天板が、固定具９を介して着脱自在に設けられ、前記天板が設けられた状態で、前記拡張脚体１３が、その上方の天板の外端部側に位置するようにした。【選択図】      図１
2007021104.tif 000002
【特許請求の範囲】
【請求項１】
四隅部の下方に脚体（４）が突出して設けられた矩形の基準支持枠体（３）と二隅部の下方に拡張脚体（１３）が突出して設けられた矩形の拡張支持枠体（１２）と、を具備し、
直線方向又は直角方向に配置された前記基準支持枠体（３）及び前記拡張支持枠体（１２）の上面に、これら枠体を連結するように、少なくとも二枚の天板が、固定具を介して着脱自在に設けられ、前記天板が設けられた状態で、前記拡張脚体（１３）が、その上方の天板の外端部側に位置するようにしたことを特徴とするユニットデスク。
【請求項２】
前記基準支持枠体（３）と前記拡張支持枠体（１２）とは、奥行幅が略同等で、間口幅が長短異なっており、前記少なくとも二枚の天板は、いずれも奥行幅が略同等で、間口幅が長短異なった基準天板（２）と拡張天板（１１）とにより構成されていることを特徴とする請求項１に記載のユニットデスク。
【請求項３】
前記基準又は拡張支持枠体を構成する少なくとも前後又は左右平行の枠板の対応部分には、その上下を貫通して長孔を形成する一方、対応する前記天板の裏面には前記長孔形成位置に合致する埋込ナットを設け、前記天板と前記基準又は拡張支持枠体との固定時には、前記長孔を貫通して前記埋込ナットに螺締されるボルト固定具を介して固定することを特徴とする請求項１又は２記載のユニットデスク。
【請求項４】
四隅部の下方に脚体（４）が突出して設けられた矩形の支持枠体を具備し、前記支持枠体を構成する枠板の少なくとも一部分には、その上下を貫通して長孔を形成する一方、支持枠体上面に着脱自在に設けられる天板の裏面には前記長孔形成位置に合致する埋込ナットを設け、前記天板と前記支持枠体との固定時には、前記長孔を貫通して前記埋込ナットに螺締されるボルト固定具を介して固定することを特徴とするユニットデスク。
【請求項５】
二隅部の下方に拡張脚体（１３）が突出して設けられた左右一対の矩形の拡張支持枠体（１２），（１２）を具備し、前記左右の拡張支持枠体（１２），（１２）を、その各拡張脚体（１３），（１３）が外方に位置するようにして対称形状に配置し、対称形状に配置された前記左右の拡張支持枠体（１２），（１２）を構成する枠板の上面に、固定具を介して、天板を着脱自在に設けたことを特徴とするユニットデスク。
【請求項６】
前記天板は、上天板部の下面に収納開口を有する構造であることを特徴とする請求項１乃至５のいずれか１項記載のユニットデスク。
【発明の詳細な説明】
【技術分野】
【０００１】
本発明は、机同士を連結して様々なレイアウトの固定設置を可能としたＳＯＨＯデスク、事務机、学習机などに好適なユニットデスクに関するものである。
【背景技術】
【０００２】
会議室や学校の一般教室などに配置される机は、１〜複数人掛用の机を演壇の手前から順に縦横配列したり、時としてはコ字形配列、Ｔ形、Ｈ形あるいは矩形状配列など、自由な並べ替えが可能である。
【０００３】
これに対し、学校などにおける実験・実習室、美術室などの机配列はほぼ一定であり、教師を見やすい、グループ内で討論や相談しやすい、実験・実習がやりやすい等々、その目的や用途に応じたレイアウトで机が作りつけられている場合が多い。また個人ユースにおいても自分の好みに応じて机を固定的にレイアウトする場合がある。
【発明の開示】
【発明が解決しようとする課題】
【０００４】
前者の場合、レイアウト変更の自由度が高く、個々の机はそれ一個としても机の機能を備えているが、相互に一体化されていないため、恒久的なレイアウトには不向きであり、使い勝手が悪い。また、隣合う机同士の脚体が重複するため、無駄も多い。
【０００５】
これに対し、後者の恒久的なレイアウトの机は、それ専用に作りつけられたものであるため、用途や目的に応じた使い勝手を得ることができる。しかしながら、その逆に、用途・目的変更に応じた配置換えができず、また拡張性に乏しい。あえてレイアウト変更するには、一旦解体してから作り替える必要がある。
【０００６】
本発明は以上の課題を解決するものであって、その目的とするところは、恒久的連結構造であって、しかもレイアウトの変更や拡張する際には、簡単な作業により組替え可能な安定した構造のユニットデスクを提供するものである。
【課題を解決するための手段】
【０００７】
前記目的を達成するため、本発明のユニットデスクは、図の実施の形態にも示すごとく、四隅部の下方に脚体４が突出して設けられた矩形の基準支持枠体３と二隅部の下方に拡張脚体１３が突出して設けられた矩形の拡張支持枠体１２と、を具備し、
直線方向又は直角方向に配置された前記基準支持枠体３及び前記拡張支持枠体１２の上面に、これら枠体を連結するように、少なくとも二枚の天板が、固定具９を介して着脱自在に設けられ、前記天板が設けられた状態で、前記拡張脚体１３が、その上方の天板の外端部側に位置するようにしたことを特徴としている。
【０００８】
前記基準支持枠体３と前記拡張支持枠体１２とは、奥行幅が略同等で、間口幅が長短異なっており、前記少なくとも二枚の天板は、いずれも奥行幅が上記各枠体と略同等で、間口幅が長短異なった基準天板２と拡張天板１１とにより構成されていることを特徴としている。
【０００９】
図の実施例では、基準支持枠体３、拡張支持枠体１２、基準天板２及び拡張天板１１は、その奥行幅がいずれも略同等である。また、基準支持枠体３と基準天板２とは、奥行幅に対し間口幅が略２倍から３倍の長方形状をなし、拡張天板１１は、奥行幅に対し間口幅が略１．５倍から２倍の長方形状をなす。拡張支持枠体１２は、奥行幅に対し間口幅が略１倍の正方形状をなす。拡張支持枠体１２と一対の拡張脚体１３とは、正面視で、略Ｌ字型に形成されている。４本の各脚体４と２本の各拡張脚体１３とは、同じ高さであり、脚端部に、伸縮自在の脚端具、又はキャスターが設けられていても良い。
【００１０】
前記基準支持枠体３（又は拡張支持枠体１２）を構成する枠板３Ａの少なくとも一部分には、その上下を貫通して長孔３ａを形成する一方、対応する前記基準天板２（又は拡張天板１１）の裏面には前記長孔３ａ形成位置に合致する埋込ナット１７を設ける。前記天板と前記基準又は拡張支持枠体との固定時には、枠板３Ａの下方から前記長孔３ａを貫通してボルト固定具９を挿入し、該ボルト固定具９を埋込ナット１７に螺締して固定することを特徴としている。
前記長孔３ａは、前記基準支持枠体３（又は拡張支持枠体１２）を構成する少なくとも前後又は左右平行の枠板３Ａの対応部分に形成する一方、対応する前記基準天板２（又は拡張天板１１）の裏面には前記長孔３ａ形成位置に合致する埋込ナット１７を設ける。前記天板と前記基準又は拡張支持枠体との固定時には、枠板３Ａの下方から前記長孔３ａを貫通してボルト固定具９を挿入し、該ボルト固定具９を埋込ナット１７に螺締して固定することができる。
【００１１】
前記各天板（基準天板２と拡張天板１１）は、上天板部の下面に収納開口を有する棚構造であっても良い。
【発明の効果】
【００１２】
したがって本発明のユニットデスクによれば、平面からみて、直線方向又は直角方向への拡張時あるいはレイアウト変更時においては、天板を分離した状態の基準支持枠体３及び拡張支持枠体１２を、床面上に配置した状態で、天板と上記各支持枠体の相互間を固定具９により連結するため、安定した恒久的レイアウトとすることができ、その設定作業も容易である。
【００１３】
また、直線またはＬ字形に拡張した状態において、天板のオーバハング位置の底面に拡張支持枠体１２を着脱自在に固定し、該天板の外端部分のみを一対の拡張脚体１３で支持させるようにしたので、脚体の重複がなく、しかも基準側の一対の脚体とともに天板を支持するため、安定した支持が可能である。拡張支持枠体１２上に外端部分が載置固定され得る天板は、拡張支持枠体１２の枠板１２Ａにより安定して固定される。
【００１４】
請求項３又は４の発明によれば、配置変更などの結果、天板と枠体間の長手方向に位置ずれが生じた場合であっても、左右又は前後一対の長孔（結合孔３ａ）を介してボルト固定具９の天板に対する位置をずらして、正確に天板側の埋込ナット１７に押し当ててねじ込み固定できる。これにより、脚体に対する天板の位置を調整させることができ、安全性が向上する。また、左右又は前後一対の結合孔３ａの対応位置にずれが生じた場合でも、このずれによる一対のボルト固定具の位置のずれを、長孔により調整させることができる。
【発明を実施するための最良の形態】
【００１５】
以下、本発明の実施の形態につき添付図面を参照して説明する。図１（ａ）〜（ｄ）は本発明に係る机をその長手方向に延長する場合の第１実施形態を示す説明図、図２は図１（ｂ）のＡ部拡大斜視図である。
【００１６】
図１において、（ａ）は本発明にかかる机の組立体を示し、この机１は基準ユニットを構成するもので、基準天板２と、基準天板２の下面に着脱自在に配置された基準支持枠体３と、基準支持枠体３の四隅に連結固定された４本の脚体４とからなっている。
【００１７】
基準天板２は、この実施例では、その間口寸法に対して奥行寸法が略１／３の長方形状である。基準天板２を上面に支持する基準支持枠体３は、基準天板２に準じた縦横寸法に、４本の枠板３Ａが結合されて長方形状に形成され、かつ基準天板２は基準支持枠体３に対して脱着可能に連結されたものである。４本の枠板３Ａは、机１の幕板を構成する。また、図１（ｂ）に示すように、基準支持枠体３内を補強すべく２つの梁５により枠内を３等分割している。
【００１８】
前記基準支持枠体３と脚体４との結合は、図２に拡大して示すごとく、斜桁材６を介して行われ、斜桁材６の左右を貫通してそれぞれ一対のネジ具７により基準支持枠体３と斜桁材６を結合するとともに、斜桁材６の中央に一対の六角孔付きネジ具８により脚体４に連結している。なお、基準支持枠体３と脚体４間は図に示す単なる付合わせだけでなく、ほぞとほぞ溝、またはありとあり溝のような木工継手構造により連結することも可能である。
【００１９】
さらに基準支持枠体３と基準天板２との結合は、枠板３Ａの底面側より、枠板３Ａに上下方向に設けた結合孔３ａを介してボルト固定具９を貫通させ、ボルト固定具９の頭部を枠板３Ａの底部に当接させ、基準天板２の対応する底面に埋設させた埋込ナット１７にボルトの軸端部を螺締させることにより、着脱自在に結合させる。
【００２０】
基準支持枠体３の上下を貫通する上記結合孔３ａの一部を長孔により形成する一方、基準天板２の対応する裏面に埋込ナット２ａを埋設しておき、基準支持枠体３の下面から長孔を通じてボルト固定具９をワッシャ１０を介して前記埋込ナット１７にねじ込むことにより結合させる。このような長孔は、基準支持枠体３の前後又は左右枠板３Ａ，３Ａの対向位置に形成させる。上記結合孔３ａとして設けられる長孔は、基準支持枠体３の長手方向を構成する、図では、前後枠板３Ａ，３Ａの対応部分、一箇所又は複数箇所に設けることが望ましい。
【００２１】
このような長孔により、基準支持枠体３に対する基準天板２の固定位置を、長孔の長手方向にずらして結合させることが可能となる。また、例えば、前後又は左右の埋込ナット１７の埋込み固定位置が基準支持枠体３の長手方向に対し多少ずれがあっても、長孔のいずれかに位置しているため、取付誤差、あるいはレイアウト変更時における多少のズレが吸収されることになる。前記ボルト固定具９を取外した状態では基準天板２は基準支持枠体３より簡単に取外すことができる。
【００２２】
天板２を取外した状態で、図１（ｃ）に示すように、厚み及び奥行寸法が同一で間口寸法が前記基準天板２の略２／３とした拡張天板１１と、奥行寸法が同じで間口寸法が略１／３とした拡張支持枠体１２を用意する。この拡張支持枠体１２は、前後左右の枠板１２Ａが略正方形状に結合され、その二隅部の下方に一対の拡張脚体１３が突出固定されたもので、それ自体では自立性がない、側面略倒Ｌ形となっている。
【００２３】
そして、拡張天板１１を基準支持枠体３の一側部に固定すれば、基準支持枠体３の上面が略１／３ほどあき、この位置に前記基準天板２を設置し、次いで、基準天板２の基準支持枠体３からオーバハング位置の端部下面に前記拡張支持枠体１２を固定する。これにより、図１（ｄ）に示すように、元の間口幅の５／３の間口幅の拡張された机１４を得られることになる。この際脚体は２本増えるだけであり、６本の脚体４，１３で全体を支持するものとなる。なお、図１では上側から見た状態を示しているが、実際は分解−再組立作業時には裏返した状態で前記ボルト固定具９の脱着作業により行うことになる。
【００２４】
図３は以上のように一直線に拡張された机１４の用途の一例を示すもので、まず脚体４で区画される間口幅の広い側の下部一側部にキャビネット１５を配置するとともに、間口幅の狭い側には椅子１６のみを配置すれば、図３（ｂ）に示すごとく、一方に椅子１６とキャビネット１５を配置し、他方に椅子１６のみを配置した二人共用の机を得ることができる。
【００２５】
次に、以上の基準机１と拡張天板１１、拡張支持枠１２を用いてＬ字形配置とした机を組立てる場合の第２実施形態を図４（ａ）〜（ｃ）を用いて説明する。なお、基本形状は第１実施形態と同じなので、同一箇所には同一符号を援用して説明する。
【００２６】
まず、図４（ａ）に示すように基準机１から天板２を外し、拡張支持枠体１２を基準支持枠体３の一側部直交方向に位置させ、図４（ｂ）に示すように拡張天板１１を基準支持枠体３の一側部上面に固定し、次いで取去った基準天板２を基準支持枠体３の他側部に直交した状態で配置し、ボルト固定具９によりビス止めする。これにより、図４（ｃ）に示すようにＬ形に交叉した状態の拡張机２０を得ることができる。なおこの際に、基準及び拡張天板２、１１の縦横寸法は基準及び拡張支持枠体３，１２の縦横寸法よりもやや大きいため、ボルト固定具９による取付位置に差がでてしまうが、前述の図２で示すごとく長孔３ａによって取付位置の調整が可能であるため、取付不能状態がないものとなる。
【００２７】
図５は、以上のようにＬ字形に拡張された机２０の用途の一例を示す。この場合には机２０の一方にパソコン２１を設置し、他方側を脇机または袖机として使用する場合であって、パソコン２１の入力操作を行いつつ椅子１６を９０°方向転換して、他方側を書類の書き物机として利用する場合に好適である。
【００２８】
なお、以上の各実施形態では、直線及びＬ形に組合わせる場合を示したが、目的、用途及び室内のパーティション形状に応じてＨ形などの平面形状にも組立てることができるほか、各種形状に発展展開できることは勿論である。また、実施形態では、机上に設置される書棚などを省略したが、同じような形態でユニット化することで、机のレイアウトに連繋したレイアウトが可能である。
【００２９】
図６は、第３実施例による机を示す正面図である。
この実施例では、二隅部の下方に拡張脚体１３が突出して設けられた左右一対の矩形の拡張支持枠体１２，１２を具備し、前記左右の拡張支持枠体１２，１２を、その各拡張脚体１３，１３が外方に位置するようにして対称形状に床面上に配置し、対称形状に配置された前記左右の拡張支持枠体１２，１２を構成する枠板の上面に、ボルト固定具を介して、天板を着脱自在に設けた。
こんお実施例では、左右の拡張支持枠体１２，１２の間隔を適当に調整し、間隔に対応した長さの天板を固定することにより、机の間口幅を簡単に調整させることができる。
【００３０】
図７に示すように、前記各天板に代えて、上天板部の下面に収納開口を有する棚構造の天板１０２を用いても良い。
【００３１】
さらに各実施形態では、木製の机としたが、スチール製の机でも同一要領でユニット化できることも勿論である。
【図面の簡単な説明】
【００３２】
【図１】（ａ）〜（ｄ）は本発明に係るユニットデスクをその長手方向に延長する場合の第１実施形態を示す説明図である。
【図２】図１（ｂ）の円内Ａ部の拡大斜視図である。
【図３】（ａ），（ｂ）は第１実施形態による拡張された机の用途の一例を示す斜視図である。
【図４】（ａ）〜（ｄ）は本発明に係るユニットデスクをＬ字形に延長する場合の第２実施形態を示す説明図である。
【図５】第２実施形態によるＬ形に拡張された机の用途の一例を示す斜視図である。
【図６】第３実施形態による机を示す正面図である。
【図７】天板の変形例を示す正面図である。
【符号の説明】
【００３３】
１  机（基準ユニット）
２  基準天板
３  基準支持枠体
３Ａ  枠板
３ａ  結合孔（長孔）
４，１３  脚体
９  ボルト固定具
１１  拡張天板
１２  拡張支持枠体
１２Ａ  枠板
１４、２０  拡張された机
１７  埋込ナット
１０２  天板
【図１】
2007021104.tif 000003
【図２】
2007021104.tif 000004
【図３】
2007021104.tif 000005
【図４】
2007021104.tif 000006
【図５】
2007021104.tif 000007
【図６】
2007021104.tif 000008
【図７】
2007021104.tif 000009